(57)【要約】【課題】  本発明は、隣家と接近して建築する建物の作業を室外側から行うときに用いる狭小地用の外足場を提供することを課題とするものである。【解決手段】  間隔を置いて配置した、薄鋼板で形成した一対の左右対称に形成した足場用踏板置き台付支柱と、前記一対の左右対称に形成した足場用踏板置き台付支柱の足場用踏板置き台に固定するため、概ねＺ字形をした足場用踏板と、前記一対の足場用踏板置き台付支柱の上端部と概ね中間部と下端部に取り付けるため、薄鋼板で概ねＺ字形に成形した上端部固定用横梁と中間部固定用横梁と下端部固定用横梁と、前記足場用踏板と足場用踏板置き台付支柱を固定するため、薄鋼板で概ねＺ字形に成形した２本の斜め固定支柱をハの字形に配置して足場用踏板と足場用踏板置き台付支柱に取り付けた高層建物用の上下移動式外足場を提供する。【選択図】図４
2019218830.tif 000002
【特許請求の範囲】
【請求項１】
建物の外側に設置し、建築工事を行うために用いる仮設足場において、
間隔を置いて配置した、薄鋼板で形成した一対の左右対称に形成した足場用踏板置き台付支柱と、
前記一対の左右対称に形成した足場用踏板置き台付支柱の足場用踏板置き台に固定するため、概ねＺ字形をした足場用踏板と、
前記一対の足場用踏板置き台付支柱の上端部と概ね中間部と下端部に取り付けるため、薄鋼板で概ねＺ字形に成形した上端部固定用横梁と中間部固定用横梁と下端部固定用横梁と、
前記足場用踏板と足場用踏板置き台付支柱を固定するため、薄鋼板で概ねＺ字形に成形した２本の斜め固定支柱をハの字形に配置して足場用踏板と足場用踏板置き台付支柱に取り付けたことを特徴とする隣地空きなし高層建物用の上下移動式外足場。
【請求項２】
足場用踏板置き台付支柱は、概ね逆台形状に成形した薄鋼板の両側を同一幅で互いに逆方向に折り曲げ中央のウェブと両側のフランジで概ねＺ字形に成形すると共に、前記中央のウェブの上端と前記一方のフランジの上端に一辺がフランジ巾と同一で長方形をした薄鋼板の足場用踏板置き台を溶接により接合して足場用踏板置き台付脚部を形成し、さらに前記足場用踏板置き台付脚部の上端のウェブと他方のフランジの上端に長方形をした薄鋼板の両側を前記フランジと同一幅で概ねＺ字形に成形した足場支柱の端部を溶接で接合したことを特徴とする請求項１に記載の隣地空きなし高層建物用の上下移動式外足場。
【請求項３】
足場用踏板置き台付支柱の下端に薄鋼板の両端部を折り曲げ概ねＺ字形に成形したコンクリート床固定部材をボルトとナットで固定したことを特徴とする請求項１に記載の隣地空きなし高層建物用の上下移動式外足場。
【請求項４】
上端部固定用横梁と下端部固定用横梁に足場シートを取り付けたことを特徴とする請求項１に記載の隣地空きなし高層建物用の上下移動式外足場。
【発明の詳細な説明】
【技術分野】
【０００１】  本発明は、狭小地に隣家と近接して建てる建物の外側の工事を行う際に用いる外足場に関するものである。
【背景技術】
【０００２】  建物等の建築時において、建物の外側の工事を行うために外足場が仮設される。
このような外足場は、一般に所定の間隔で立設された単管支柱と梁部材とを縦横に組み合わせ、梁部分に踏板を仮設して構築される。（例えば、特許文献１）
【先行技術文献】
【特許文献】
【０００３】
【特許文献１】特開２００５−１８８０２３号広報
【発明の概要】
【発明が解決しようとする課題】
【０００４】  しかし、隣家の建物との隙間が２０〜３０ｃｍ程度しかないような狭小地に、隣家に接近した建物を建設する際には、外足場のための十分なスペースが確保できず、特許文献１の発明のような従来の外足場を仮設することは不可能であった。【０００５】  本発明は、上記の課題に鑑みてなされたものであり、本発明の目的は、隣家と接近して建築する建物の作業を室外側から行うときに用いる狭小地用の外足場を提供することを課題とするものである。
【課題を解決するための手段】
【０００６】  かかる課題を解決するため、請求項１に記載の発明は、建物の外側に設置し、建築工事を行うために用いる仮設足場において、間隔を置いて配置した、薄鋼板で形成した一対の左右対称に形成した足場用踏板置き台付支柱と、前記一対の左右対称に形成した足場用踏板置き台付支柱の足場用踏板置き台に固定するため、概ねＺ字形をした足場用踏板と、前記一対の足場用踏板置き台付支柱の上端部と概ね中間部と下端部に取り付けるため、薄鋼板で概ねＺ字形に成形した上端部固定用横梁と中間部固定用横梁と下端部固定用横梁と、前記足場用踏板と足場用踏板置き台付支柱を固定するため、薄鋼板で概ねＺ字形に成形した２本の斜め固定支柱をハの字形に配置して足場用踏板と足場用踏板置き台付支柱に取り付けたことを特徴とする。【０００７】  請求項２に記載の発明は、請求項１に記載の構造に加え、足場用踏板置き台付支柱は、概ね逆台形状に成形した薄鋼板の両側を同一幅で互いに逆方向に折り曲げ中央のウェブと両側のフランジで概ねＺ字形に成形すると共に、前記中央のウェブの上端と前記一方のフランジの上端に一辺がフランジ巾と同一で長方形をした薄鋼板の足場用踏板置き台を溶接により接合して足場用踏板置き台付脚部を形成し、さらに前記足場用踏板置き台付脚部の上端のウェブと他方のフランジの上端に長方形をした薄鋼板の両側を前記フランジと同一幅で概ねＺ字形に成形した足場支柱の端部を溶接で接合したことを特徴とする。【０００８】  請求項３に記載の発明は、請求項１に記載の構造に加え、足場用踏板置き台付支柱の下端に薄鋼板の両端部を折り曲げ概ねＺ字形に成形したコンクリート床固定部材をボルトとナットで固定したことを特徴とする。【０００９】  請求項４に記載の発明は、請求項１に記載の構造に加え、上端部固定用横梁と下端部固定用横梁に足場シートを取り付けたことを特徴とする。
【発明の効果】
【００１０】  請求項１に記載の発明によれば、建物の外側に設置し、建築工事を行うために用いる仮設足場において、間隔を置いて配置した、薄鋼板で形成した一対の左右対称に形成した足場用踏板置き台付支柱と、前記一対の左右対称に形成した足場用踏板置き台付支柱の足場用踏板置き台に固定するため、概ねＺ字形をした足場用踏板と、前記一対の足場用踏板置き台付支柱の上端部と概ね中間部と下端部に取り付けるため、薄鋼板で概ねＺ字形に成形した上端部固定用横梁と中間部固定用横梁と下端部固定用横梁と、前記足場用踏板と足場用踏板置き台付支柱を固定するため、薄鋼板で概ねＺ字形に成形した２本の斜め固定支柱をハの字形に配置して足場用踏板と足場用踏板置き台付支柱に取り付けたことにより、隣家と建築する建物の間が狭い場合でも安全に外足場を設置することが出来るようになると共に、軽量で組み立てが簡単なため、現場への搬入や足場組立作業時間を短縮させることが可能となった。【００１１】  請求項２に記載の発明によれば、足場用踏板置き台付支柱は、概ね逆台形状に成形した薄鋼板の両側を同一幅で互いに逆方向に折り曲げ中央のウェブと両側のフランジで概ねＺ字形に成形すると共に、前記中央のウェブの上端と前記一方のフランジの上端に一辺がフランジ巾と同一で長方形をした薄鋼板の足場用踏板置き台を溶接により接合して足場用踏板置き台付脚部を形成し、さらに前記足場用踏板置き台付脚部の上端のウェブと他方のフランジの上端に長方形をした薄鋼板の両側を前記フランジと同一幅で概ねＺ字形に成形した足場支柱の端部を溶接で接合したことにより、簡単な構造で軽量な上下移動式足場を支えるための支柱を形成することが可能となった。【００１２】  請求項３に記載の発明によれば、足場用踏板置き台付支柱の下端に薄鋼板の両端部を折り曲げ概ねＺ字形に成形したコンクリート床固定部材をボルトとナットで固定したことにより、従来のように新築する建物全体を足場で覆う必要が無くなるため設置費用と設置時間を大幅に節約することが出来るようになると共に、上下移動式足場を鉄筋コンクリート建物の梁部に簡単に固定することが出来るようになり、そのため上下移動式足場を容易に上下階に移動させ設置することが可能となった。【００１３】  請求項４に記載の発明によれば、上端部固定用横梁と下端部固定用横梁に足場シートを取り付けたことにより、上下移動式外足場と養生シートを一体として構成することが出来るようになり、建築資材や工具が周辺に落下するのを容易に防ぐことが可能となった。
【実施例】
【００１４】  以下、この発明の実施の形態について説明する。
［発明の実施の形態］【００１５】  図１乃至図１４には、この発明の実施の形態を示す。【００１６】  図１は、本発明の上下移動式外足場１を正面図（図１ａ）と右側面図（図１ｂ）で示す。【００１７】  図１ａは、本発明の上下移動式外足場１を正面図で示すと共に、図１ｂは上下移動式外足場１を右側面図で示す。上下移動式外足場１は上下移動式外足場１を支えるため両側を一対の第１の足場用踏板置き台付支柱４と第２の足場用踏板置き台付支柱５で構成し、その一対の第１の足場用踏板置き台付支柱４と第２の足場用踏板置き台付支柱５の上端部には長方形をした薄鋼板（厚さ１．６ｍｍ）の両側を同一巾で逆方向に折り曲げ概ねＺ字形に成形した上端部固定用横梁２の両端がボルト１１、２０とナット２７、２１３（図１０で示す）で取り付けられると共に、一対の第１の足場用踏板置き台付支柱４と第２の足場用踏板置き台付支柱５の下端部には長方形をした薄鋼板（厚さ１．６ｍｍ）をＬ字形に成形した下端部固定用横梁９の両端がボルト１７、２５とナット３２、２１１（図１０で示す）により取り付けられる。さらに第１の足場用踏板置き台付支柱４と第２の足場用踏板置き台付支柱５の下端から１ｍの高さに作業者が乗って室外側から作業を行うため、長方形をした薄鋼板（厚さ１．６ｍｍ）の両側を同一幅で逆方向に折り曲げ中央のウェブと両側のフランジで概ねＺ字形に成形した足場用踏板６の両側のフランジがボルト１３、１４、２２、２３とナット２９、３０、２１２（図１０で示す）、２１６（図１０で示す）により取り付けられる。さらに足場用踏板６を補強するため、長方形をした薄鋼板（厚さ１．６ｍｍ）の両側を同一幅で逆方向に折り曲げ中央のウェブと両側のフランジで概ねＺ字形に成形した２本の第１の斜め固定支柱７と第２の斜め固定支柱８の一端をボルト１８、１９とナット２２９（図１３で示す）、ナット（図示せず）で足場用踏板６のフランジに固定すると共に、それぞれの他端をボルト１５、２４とナット３１、ナット（図示せず）で第１の足場用踏板置き台付支柱４と第２の足場用踏板置き台付支柱５に取り付けることにより足場用踏板６の撓みを抑え足場用踏板６を補強することが可能となった。さらに第１の足場用踏板置き台付支柱４と第２の足場用踏板置き台付支柱５の上端から１．２０ｍ下部に長方形をした薄鋼板（厚さ１．６ｍｍ）の両側を同一幅で逆方向に折り曲げ中央のウェブと両側のフランジで概ねＺ字形に成形した中間部固定用横梁３の両端がボルト１２、２１とナット２８、ナット１８９（図１０で示す）で第１の足場用踏仮置き台寸支柱４と第２の足場用踏板置き台付支柱５のフランジに取り付けた状態を示す。【００１８】  図２は、図１で説明した上下移動式外足場１を斜視図で示す。上端部固定用横梁２は、図１０、図１１で示すように、長方形をした厚さ１．６ｍｍ、長さ３．０５ｍ、幅１１４ｍｍの薄鋼板の長辺部の両端の幅７ｍｍを強度を高めるため互いに反対方向に１８０度折り曲げると共に、前記両端を幅７ｍｍ折り曲げた後の長方形をした薄鋼板の幅１００ｍｍの両側を、さらに幅３０ｍｍ互いに逆方向に直角に折り曲げることにより、上端部固定用横梁２は中央の幅４０ｍｍのウェブ１９０と両側の幅３０ｍｍのフランジ���９１、１９３で概ねＺ字形に成形され、このように成形した上端部固定用横梁２のフランジ１９３の両端からそれぞれ１５ｍｍ離れた位置でフランジ１９３の中心線の交わる位置に直径１０ｍｍの穴１９２、１９４を開け、前記穴１９２、１９４に対して図６、図７で示す足場支柱５５、１２０のフランジ６８、１３３の上端からそれぞれ１５ｍｍ離れた位置でフランジ６８、１３３の中心線が交わる位置に開けた直径１０ｍｍの穴６３、１２８と穴位置を合致させボルト１１、２０とナット２７、２１３（図１０で示す）で上端部固定用横梁２を第１の足場用踏板置き台付支柱４と第２の足場用踏板置き台付支柱５に取り付けた状態を示す。【００１９】  さらに図２の中間部固定用横梁３は、図１０、図１１で示すように、長方形をした厚さ１．６ｍｍ、長さ３．０５ｍ、幅３０４ｍｍの薄鋼板の長辺部の両端の幅７ｍｍを強度を高めるため互いに反対方向に１８０度折り曲げると共に、前記両端を幅７ｍｍ折り曲げた後の長方形をした薄鋼板の幅２９０ｍｍの両側を、さらに幅７０ｍｍ互いに逆方向に直角に折り曲げることにより、上端部固定用横梁２は中央の幅１５０ｍｍのウェブ１８５と両側の幅７０ｍｍのフランジ１８４、１８７で概ねＺ字形に成形され、このように成形した中間部固定用横梁３のフランジ１８７の両端からそれぞれ１５ｍｍ離れた位置でフランジ１８７の中心線が交わる位置に直径１０ｍｍの穴１８６、１８８を開け、前記穴１８６、１８８に対して図６、図７で示す足場支柱５５、１２０のフランジ６８、１３３の上端からそれぞれ１．２３５ｍ離れた位置でフランジ６８、１３３の中央線が交わる位置に開けた直径１０ｍｍの穴１８３、穴（図示せず）と穴位置を合致させボルト１２、２１とナット２８、１８９（図１０で示す）で中間部固定用横梁３を第１の足場用踏板置き台付支柱４と第２の足場用踏板置き台付支柱５に取り付けた状態を示す。【００２０】  さらに図２の足場用踏板６は、図１０、図１１で示すように、長方形をした厚さ１．６ｍｍ、長さ３．０５ｍ、幅３０４ｍｍの薄鋼板の長辺部の両端の幅７ｍｍを強度を高めるため互いに反対方向に１８０度折り曲げると共に、前記両端を幅７ｍｍ折り曲げた後の長方形をした薄鋼板の幅２９０ｍｍの長辺部の両側を、さらに幅７０ｍｍ互いに逆方向に直角に折り曲げることにより、足場用踏板６は中央の幅１５０ｍｍのウェブ１９８と両側の幅７０ｍｍのフランジ１９６、１９９で概ねＺ字形に成形され、このように成形された足場用踏板６の両側のフランジ１９６、フランジ１９９の両端からそれぞれ１５ｍｍ離れた位置でフランジ１９６、フランジ１９９の中心線が交わる位置に直径１０ｍｍの穴１９５、穴１８２（点線で示す）、穴１９７、穴２００を開け、前記穴１９５と穴１８２（点線で示す）、穴１９７と穴２００に対して、図６、図７で示す足場支柱５５、１２０のフランジ６８、１３３の下端からそれぞれ１５ｍｍ離れた位置でフランジ１８７の中心線が交わる位置に開けた直径１０ｍｍの穴６９、１３４と、足場用踏板６のフランジ１９９の両端に開けた穴１９７、２００の穴位置を合致させると共に、同様に足場用踏板置き台用脚部５７、１２２のフランジ９４、１５８の上端から１５ｍｍでフランジ９４、１５８の中心線が交わる位置に開けた穴９０、１５５と、図１０、１１の足場用踏板６のフランジ１９６の両端から１５ｍｍの位置でフランジ１９６の中心線が交わる位置に開けた穴１９５、１８２（点線で示す）の穴位置を合致させ、前記足場用踏板６のウェブ１９８の両端部を足場用踏板置き台用脚部５７、１２２の足場用踏板置き台５６、１２１の上部に載せて重ね合せ４本のボルト１３、１４、２２、２３と４個のナット２９、３０、２１２、２１６で足場用踏板６を第１の足場用踏板置き台付支柱４と第２の足場用踏板置き台付支柱５に取り付けた状態を示す。【００２１】  さらに図２の下端部固定用横梁９は、図８ａで示すように厚さ１．６ｍｍの薄鋼板を外形寸法に合わせ交わる角部が全て直角の形状で凸形に形取りした状態を示す。このように形取りした長方形をした折曲部２０９の辺２５０の長さは３．０４ｍ、互いに平行に向い合う右側上辺２５１と左側上辺２６０の長さは共に４７ｍｍ、さらに長方形をした右折曲部２１５の互いに平行に向い合う突出右上辺２５２と突出右下辺２５４の長さは共に４０ｍｍ、さらに互いに平行に向い合う突出右袖辺２５３と突出右折曲線２５５の長さは共に３７ｍｍ、このように成形した右折曲部２１５の突出右袖辺２５３から２０ｍｍ離れた位置で突出右上辺２５２から１５ｍｍ離れた位置に直径１０ｍｍの穴２１０を開けると共に、同様に長方形をした左折曲部２０６の互いに平行に向い合う突出左上辺２５９と突出左下辺２５７の長さは共に４０ｍｍ、さらに互いに平行に向い合う突出左袖辺２５８と突出左折曲線２６２の長さは共に３７ｍｍ、このように成形した左折曲部２０６の端部の突出左袖辺２５８から２０ｍｍ離れた位置で突出左上辺２５９から１５ｍｍ離れた位置に直径１０ｍｍの穴２０７を開け、さらに左折曲部２０６と隣り合う長方形をした折曲部２０８の平行に向い合う折曲線２６１と辺２５６の長さは共に３．０４ｍである。このように下端部固定用横梁９は長方形をした折曲部２０９と折曲部２０８と右折曲部２１５と左折曲部２０６で凸形に形取りされ、このように形取りした辺２５０と、向い合う一直線上に位置する辺２５６、突出右下辺２５４、突出左下辺２５７の端部から幅７ｍｍ部分を強度を高めるため互いに反対方向に１８０度折り曲げると共に、前記端部を１８０°折り曲げた後の凸形をした折曲部２０９と向かい合う折曲部２０８、右折曲部２１５、左折曲部２０６を折曲線２６１の位置で直角に折り曲げ、つづいて右折曲部２１５を折曲部２０８に対して突出右折曲線２５５の位置で直角に折り曲げ、さらに右側上辺２５１と突出右上辺２５２を溶接で接合し、同様に左折曲部２０６を折曲部２０８に対して突出左折曲線２６２の位置で直角に折り曲げ、さらに左側上辺２６０と突出左上辺２５９を溶接で接合した状態を図８ｂの斜視図で示す。【００２２】  さらに図２の第１の足場用踏板置き台付支柱４は、図７で示すように上部を形成する足場支柱１２０と、下部を形成する足場用踏板置き台用脚部１２２と、足場支柱１２０と、足場用踏板置き台用脚部１２２の間に取り付けられる長方形をした足場用踏板置き台１２１で構成される。足場支柱１２０は、図７ａで示すように厚さ１．６ｍｍの薄鋼板を外形寸法に合わせて長方形に形取りした状態を示す。足場支柱１２０は長方形をした厚さ１．６ｍｍ、長さ３．０５ｍ、幅１１４ｍｍの薄鋼板の両側の長さ３．０５ｍ、幅７ｍｍの補強用折曲部１２９、１４５を共に折曲線１３１、１４１の位置で強度を高めるため互いに反対方向に１８０度折り曲げると共に、前記両側を幅７ｍｍ折り曲げた後の長方形をした薄鋼板の両側のフランジ１３３、１４０を折曲線１３１、１４２の位置でさらに互いに長さ３．０５ｍ、幅３０ｍｍ逆方向に直角に折り曲げることにより、足場支柱１２０は中央の幅４０ｍｍのウェブ１４３と両側の幅３０ｍｍのフランジ１３３、１４０で概ねＺ字形に成形され、このように成形した足場支柱１２０のフランジ１３３の端部１２６から１５ｍｍ離れた位置で折曲線１３１と折曲線１３２の中心線が交わる位置に直径１０ｍｍの穴１２８を開け、さらに端部１３６から３５ｍｍ離れた位置で折曲線１３１と折曲線１３２の中心線が交わる位置に直径１０ｍｍの穴１３４を開けることにより図７ｂで示すように足場支柱１２０が形成される。【００２３】  さらに足場用踏板置き台１２１は長方形をした厚さ１．６ｍｍの薄鋼板で、平行に向かい合うＡ辺１４６、Ｃ辺１４８の長さは共に３０ｍｍ、さらに平行に向かい合うＢ辺１４７、Ｄ辺１４９の長さは共に１５０ｍｍである。【００２４】  さらに足場用踏板置き台用脚部１２２は、図７ａで示すように厚さ１．６ｍｍの薄鋼板を外形寸法に合わせて概ね逆台形状に形取りした状態を示す。補強用折曲部１５６は長方形の形状で辺１６０と折曲線１５９の長さは共に１ｍ、平行に向かい合う端部１５４と端部１６２の長さは共に７ｍｍである。さらに補強用折曲部１５６と隣り合うフランジ１５８は長方形の形状で折曲線１５７の長さは折曲線１５９の長さと同様に１ｍ、平行に向かい合う端部１５３と端部１６３の長さは共に３０ｍｍ、さらに端部１５３から３５ｍｍ離れた位置で折曲線１５９と折曲線１５７の中心線が交わる位置に直径１０ｍｍの穴１５５を開けると共に、さらに端部１６３から１００ｍｍ離れた位置で折曲線１５９と折曲線１５７の中心線が交わる位置に直径１０ｍｍの穴１６１が開けられる。さらにフランジ１５８と隣り合うウェブ１７１は台形形状で、端部１５２の長さは１９０ｍｍ、折曲線１５７と端部１５２の交わる角度は９０°である。さらに端部１５２と平行に向かい合う端部１６４の長さは４０ｍｍ、折曲線１５７と端部１６４の交わる角度は９０°である。さらに折曲線１７２の長さは１．０１１ｍ、端部１５２と折曲線１７２の交わる角度は８１°、端部１６４と折曲線１７２の交わる角度は９９°である。さらに端部１６４から１５ｍｍ離れた位置で折曲線１５７から並行に２０ｍｍ離れた位置に直径１０ｍｍの穴１６７が開けられる。さらにウェブ１７１と隣り合うフランジ１７０は長方形の形状で平行に向かい合う端部１５１と端部１６５の長さは共に３０ｍｍ、端部１５１、１６５と折曲線１７２の交わる角度は共に９０°である、さらに折曲線１６９の長さは折曲線１７２の長さと同じ１．０１１ｍである。さらにフランジ１７０と隣り合う補強折曲部１７３は長方形の形状で平行に向かい合う端部１５０と端部１６６の長さは共に７ｍｍ、折曲線１６９と端部１５０���１６６が交わる角度は９０°である。さらに辺１６８の長さは折曲線１６９の長さと同様に１．０１１ｍである。このように形取りした概ね逆台形状の足場用踏板置き台用脚部１２２の補強用折曲部１５６と補強用折曲部１７３を折曲線１５９、折曲線１６９の位置で強度を高めるため互いに反対方向に１８０度折り曲げると共に、フランジ１５８とフランジ１７０を折曲線１５７と折曲線１７２の位置で互いに逆方向に直角に折り曲げることにより、足場用踏板置き台用脚部１２２は図７ｂに示すように中央の台形状をしたウェブ１７１と両側の幅３０ｍｍのフランジ１８５、１７０で概ねＺ字形に形成される。【００２５】  さらに図７ｂで示すように、足場用踏板置き台用脚部１２２の端部１５３と足場用踏板置き台１２１のＡ辺１４６を溶接で接合すると共に、足場用踏板置き台用脚部１２２の端部１５２と足場用踏板置き台１２１のＤ辺１４９を溶接により接合し、さらに足場用踏板置き台用脚部１２２の端部１５１と足場支柱１２０の端部１３８を溶接により接合し、さらに足場用踏板置き台１２１のＣ辺１４８と足場支柱１２０の端部１３６を溶接により接合し、さらに足場用踏板置き台用脚部１２２の端部１５２と足場支柱１２０の端部１３７を溶接により接合することにより、図７ｃで示すように第１の足場用踏板置き台付支柱４が形成される。【００２６】  さらに図２の第１の足場用踏板置き台付支柱５は、図６で示すように上部を形成する足場支柱５５と、下部を形成する足場用踏板置き台用脚部５７と、足場支柱５５と、足場用踏板置き台用脚部５７の間に挟み込むように取り付けられる長方形をした足場用踏板置き台５６で構成される。足場支柱５５は、図６ａで示すように長方形をした厚さ１．６ｍｍ、長さ３．０５ｍ、幅１１４ｍｍの薄鋼板の両側の幅７ｍｍの補強用折曲部６５、７９を共に折曲線６７、７６の位置で強度を高めるため互いに反対方向に１８０度折り曲げると共に、前記両側を幅７ｍｍ折り曲げた後の長方形をした薄鋼板の両側のフランジ６８、７５を折曲線６６、７７の位置でさらに幅３０ｍｍ互いに逆方向に直角に折り曲げることにより、足場支柱５５は中央の幅４０ｍｍのウェブ７８と両側の幅３０ｍｍのフランジ６８、７５で概ねＺ字形に成形され、このように成形した足場支柱５５のフランジ６８の端部６１から１５ｍｍ離れた位置で折曲線６７と折曲線６６の中心線が交わる位置に直径１０ｍｍの穴６３を開け、さらに端部７１から３５ｍｍ離れた位置で折曲線６７と折曲線６６の中心線が交わる位置に直径１０ｍｍの穴６９を開けることにより図６ｂで示すように足場支柱５５が形成される。【００２７】  さらに足場用踏板置き台５６は厚さ１．６ｍｍの薄鋼板で長方形をした形状で、平行に向かい合うＡ辺８１、Ｃ辺８３の長さは共に３０ｍｍ、さらに平行に向かい合うＢ辺８２、Ｄ辺８４の長さは共に１５０ｍｍである。【００２８】  さらに足場用踏板置き台用脚部５７は、図６ａで示すように厚さ１．６ｍｍの薄鋼板を外形寸法に合わせて概ね逆台形状に形取りした状態を示す。補強用折曲部９１は長方形の形状で辺９３と折曲線９５の長さは共に１ｍ、平行に向かい合う端部８９と端部９７の長さは共に７ｍｍである。さらに補強用折曲部９１と隣り合うフランジ９４は長方形の形状で折曲線９２の長さは折曲線９５の長さと同様に１ｍ、平行に向かい合う端部８８と端部９８の長さは共に３０ｍｍ、さらに端部８８から３５ｍｍ離れた位置で折曲線９５と折曲線９２の中心線が交わる位置に直径１０ｍｍの穴９０を開けると共に、さらに端部９８から１００ｍｍ離れた位置で折曲線９５と折曲線９２が交わる位置に直径１０ｍｍの穴９６が開けられる。さらにフランジ９４と隣り合うウェブ１０６は台形形状で、端部８７の長さは１９０ｍｍ、折曲線９２と端部８７の交わる角度は９０°である。さらに端部８７と平行に向かい合う端部９９の長さは４０ｍｍ、折曲線９２と端部９９の交わる角度は９０°である。さらに折曲線１０７の長さは１．０１１ｍ、端部８７と折曲線１０７の交わる角度は８１°、端部９９と折曲線１０７の交わる角度は９９°である。さらに端部９９から１５ｍｍ離れた位置で折曲線９２から平行に２０ｍｍ離れた位置に直径１０ｍｍの穴１０２が開けられる。さらにウェブ１０６と隣り合うフランジ１０４は長方形の形状で平行に向かい合う端部８６、１００の長さは共に３０ｍｍ、端部８６、１００と折曲線１０７が交わる角度は共に９０°である。さらに折曲線１０３の長さは折曲線１０７と同じ１．０１１ｍである。さらにフランジ１０４と隣り合う補強折曲部１０８は長方形の形状で平行に向かい合う端部８５と端部１０１の長さは共に７ｍｍ、折曲線１０３と端部８５、１０１は共に直角に交わる。さらに辺１０５の長さは折曲線１０３の長さと同じ１．０１１ｍである。このように形取りした概ね逆台形状の足場用踏板置き台用脚部５７の補強用折曲部９１と補強用折曲部１０８を折曲線９５、折曲線１０３の位置で強度を高めるため互いに反対方向に１８０度折り曲げると共に、フランジ９４とフランジ１０４を折曲線９２と折曲線１０７の位置で互いに逆方向に直角に折り曲げることにより、足場用踏板置き台用脚部５７は図６ｂに示すように中央の台形状をしたウェブ１０６と両端の幅３０ｍｍのフランジ９４、１０４で概ねＺ字形に形成される。【００２９】  さらに図６ｂで示すように、足場用踏板置き台用脚部５７の端部８８と足場用踏板置き台５６のＡ辺８１を溶接で接合すると共に、足場用踏板置き台用脚部５７の端部８７と足場用踏板置き台５６のＢ辺８２を溶接により接合し、さらに足場用踏板置き台用脚部５７の端部８６と足場支柱５５の端部７３を溶接により接合し、さらに足場用踏板置き台５６のＣ辺８３と足場支柱５５の端部７１を溶接により接合し、さらに足場用踏板置き台用脚部５７の端部８７と足場支柱５５の端部７２を溶接により接合することにより、図６ｃで示すように第２の足場用踏板置き台付支柱５が形成される。【００３０】  さらに図２の第２の斜め固定支柱８は、図１２で示すように厚さ１．６ｍｍの薄鋼板を外形形状に合わせて平板状に形取りした状態を示す。補強用折曲部３０２は等脚台形の形状で辺３００と辺３０５の長さは共に１０ｍｍ、辺３０１の長さは１．２６０ｍ、折曲線３０３の長さは１．２７４ｍ、辺３００と辺３０１の交わる角度は１３５°、辺３００と折曲線３０３の交わる角度は４５°、さらに辺３０５と辺３０１の交わる角度は１３５°、辺３０５と折曲線３０３の���わる角度は４５°である。さらに補強用折曲部３０２と隣り合うフランジ２２４は等脚台形の形状で辺３１７と辺３０６の長さは共に４２ｍｍ、折曲線３０４の長さは１．３３４ｍ、辺３００と辺３１７は一直線上に成形し、同様に辺３０５と３０６も一直線上に成形し、辺３１７と折曲線３０３の交わる角度は１３５°、辺３１７と折曲線３０４の交わる角度は４５°、同様に辺３０６と折曲線３０３の交わる角度は１３５°、辺３０６と折曲線３０４の交わる角度は４５°である。さらにフランジ２２４には折曲線３０３と折曲線３０４の中心線上で、辺３１７と折曲線３０４の交わる頂点から右方向に３５ｍｍの位置に直径１０ｍｍの穴２２６を開けると共に、同様に辺３０６と折曲線３０４の交わる頂点から左方向に４０ｍｍの位置に直径１０ｍｍの穴２２１が開けられる。さらにフランジ２２４と隣り合うウェブ２２３は長方形の形状で折曲線３１０の長さは１．２８０ｍ、辺３１６と辺３０７の長さは共に４０ｍｍ、辺３０７と折曲線３０４、３１０は共に直角に交わる。さらにウェブ２２３と隣り合うフランジ２２２は等脚台形の形状で辺３１５と辺３０８の長さは共に４２ｍｍ、折曲線３１１の長さは１．３４０ｍ、折曲線３１０と辺３１５の交わる角度は１３５°、辺３１５と折曲線３１１の交わる角度は４５°、さらに辺３０８と折曲線３１０の交わる角度は１３５°、辺３０８と折曲線３１１の交わる角度は４５°である。さらにフランジ２２２と隣り合う補強用折曲部３１３は逆等脚台形の形状で辺３０９と辺３１４の長さは共に１０ｍｍ、辺３１２の長さは１．３２６ｍ、辺３１４と折曲線３１１の交わる角度は４５°、辺３１４と辺３１２の交わる角度は１３５°、同様に辺３０９と折曲線３１１の交わる角度は４５°、辺３０９と辺３１２の交わる角度は１３５°である。【００３１】  このように成形した第２の斜め固定支柱８の両側の幅７ｍｍの補強用折曲部３０２、３１３を共に折曲線３０３、３１１の位置で強度を高めるため互いに反対方向に１８０度折り曲げると共に、フランジ２２４、フランジ２２２を折曲線３０４、折曲線３１０の位置で互いに逆方向に直角に折り曲げることにより、図１２ｂで示すように第２の斜め固定支柱８が形成される。このように形成した第２の斜め固定支柱８を図６ａで説明した足場用踏板置き台用脚部５７のフランジ９４に開けた穴９６と、図１３で示す足場用踏板６のフランジ１９６に開けた穴２２８（点線で示す）にボルト１９、２４とナット３１、２２９で固定することにより図１４で示すように、第２の斜め固定支柱８は足場用踏板６と第２の足場用踏板置き台付支柱５に固定され、足場用踏板６に作業者が乗った場合においても足場用踏板６の撓みを抑止することが可能となった。【００３２】  図２の第１の斜め固定支柱７についても同様に、第２の斜め固定支柱８と相対した形状で構成し、足場用踏板６と第１の足場用踏板置き台付支柱４にボルト１５、１８とナット（図示せず）で固定される。【００３３】  さらに図２の第２のコンクリート床固定部材１０は、図９ａで示すように厚さ１．６ｍｍの長方形をした薄鋼板を外形寸法に合わせて平板状に形取りし、角部の内の一箇所の欠込上辺２６５を３７ｍｍ、欠込右辺２６６を４０ｍｍ切除し��状態を示す。補強用折曲部２８０は長方形の形状で辺２７４と折曲線２７１の長さは共に０．６ｍ、辺２７６と辺２７９の長さは共に７ｍｍである。さらに補強用折曲部２８０と隣り合うフランジ２０１は長方形の形状で折曲線２７２の長さは０．６ｍ、辺２７０と辺２６３の長さは共に３０ｍｍである。さらにフランジ２０１と隣り合うウェブ２１４は長方形の形状で、折曲線２７３の長さは０．５６ｍ、辺２６９と辺２６４の長さは共に３０ｍｍで、辺２６４より２０ｍｍ離れた位置で折曲線２７２と折曲線２７３の中心線が交わる位置に直径１０ｍｍの穴２０５が開けられる。さらにウェブ２１４と隣り合うフランジ２０３は長方形の形状で、折曲線２６７の長さは０．５６ｍ、辺２６６と辺２６８の長さは共に３０ｍｍで、両端の辺２６６、辺２６８から互いに５０ｍｍ離れた位置で折曲線２７３と折曲線２６７の中心線が交わる位置に直径１０ｍｍの穴２０４、２０２が開けられる。さらにフランジ２０３と隣り合う補強用折曲部２８１は長方形の形状で、辺２７５の長さは０．５６ｍ、互いに向かい合う辺２７７と２７８の長さは共に７ｍｍである。なお欠込上辺２６５の長さは４０ｍｍ、また辺２７６、辺２７０、辺２６９、辺２６８、辺２７７は一直線上に成形すると共に、辺２７９、辺２６３、辺２６４も一直線上に成形される。【００３４】  このように成形した第２のコンクリート床固定部材１０の補強用折曲部２８０、補強用折曲部２８１を折曲線２７１、折曲線２６７の位置で強度を高めるため互いに反対方向に１８０度折り曲げると共に、フランジ２０１、フランジ２０３を折曲線２７２、折曲線２７３の位置で互いに逆方向に直角に折り曲げることにより、図９ｂに示すように第２のコンクリート床固定部材１０はフランジ２０３がウェブ２１４に対してＬ形状に４０ｍｍ短く欠き込まれた形状で概ねＺ字形に形成される。【００３５】  このように成形した第２のコンクリート床固定部材１０は図６、図８、図９、図１０、図１１で示すように、第２のコンクリート床固定部材１０のフランジ２０３と、足場用踏板置き台用脚部５７のフランジ９４が直角になるように、フランジ２０３の欠込右辺２６６をフランジ９４の端部９８に当接させると共に、第２のコンクリート床固定部材１０のウェブ２１４に開けた穴２０５と足場用踏板置き台用脚部５７のウェブ１０６に開けた穴１０２が同一穴状に形成されるように、第２のコンクリート床固定部材１０のウェブ２１４と足場用踏板置き台用脚部５７のウェブ１０６を、ウェブ２１４の穴２０５と、下端部固定用横梁９の折曲部２０６の穴２０７が同一穴状になるように当接させ、ボルト２５を穴２０７と穴２０５と穴１０２に貫通させナット３２で固定することにより、図１１で示すように、下端部固定用横梁９と第２の足場用踏板置き台用支柱５と第２のコンクリート床固定部材１０が一体となり足場用踏板置き台用脚部５７のフランジ９４と第２のコンクリート床固定部材１０が直角に交わるように構成される。なお、第１の足場用踏板置き台付支柱４と下端部固定用横梁９と第１のコンクリート床固定部材３３についても、同様に、図１０、１１で示すようにボルト１７とナット２１１で固定される。【００３６】  このように第１の足場��踏板置き台付支柱４と第２の足場用踏板置き台付支柱５に第１のコンクリート床固定部材３３と第２のコンクリート床固定部材１０をボルト１７、２５とナット３２、２１１で固定し、図５で示すように第１のコンクリート床固定部材３３と第２のコンクリート床固定部材１０を打込アンカー１６、打込アンカー２６で梁に固定することにより作業員４１が上下移動式外足場１の足場用踏板６に乗って作業を安全に行うことが可能となった。【００３７】  図３は、図２で説明した上下移動式外足場１の建物外側に足場シート４０を取り付けるため、上端部固定用横梁２に開けた穴３９にシート紐又はゴムバンドで足場シート４０の上端部を取り付けると共に、足場シート４０の下端部を下端部固定用横梁９に開けた穴３８にシート紐又はゴムバンドで取り付けることにより、図４で示す作業者４１が作業中に工具等を落下させた場合でも、工具等が地面に落下することなく足場シート４０に沿って建築中の建物内部に落ちるため作業の安全性が保たれると共に、さらに上下移動式外足場１と一体に足場シート４０を取り付けたことにより、上下移動式外足場１を移設する際も足場シート４０を取り外す必要がなくなり作業を効率化に進めることが可能となった。【００３８】  図４は、図３で説明した上下移動式外足場１の足場用踏板６に作業者４１が乗った状態を示す。【００３９】  図５は、図１から図４で説明した上下移動式外足場１を、柱４４、４７と梁４５、４６で構成した建築途中の鉄筋コンクリート建物の梁４６に固定した状態を示す。上下移動式外足場１の第１の足場用踏板置き台付支柱４と第２の足場用踏板置き台付支柱５の下端に取り付けた第１のコンクリート床固定部材３３と第２のコンクリート床固定部材１０に開口した穴に打込アンカー１６、２６を挿入して第１のコンクリート床固定部材３３と第２のコンクリート床固定部材１０を打込アンカー１６、２６で梁４６に固定することにより上下移動式外足場１は梁４６に固定される。このように上下移動式外足場１を軽量で簡単に組み立てることが出来るように構成したことにより、隣家の建物との間の隙間が狭いような場合でも、建築中の建物の外側に上下移動式外足場１を簡単に設置することが出来るようになり、建物の外側から安全に作業を行うことが可能となると共に、分解して移設することはもちろん、組み立てた状態でも上階に移動することが容易に出来るようになり、上下移動式外足場１の第１のコンクリート床固定部材１０と第２のコンクリート床固定部材３３を打込アンカー１６、２６で梁４６に固定することにより上下移動式外足場１の足場用踏板６に作業者４１が乗って建物の外側から作業を行うことが出来るようになると共に、上階で作業者４１が作業を行う際に、作業者４１の安全を守るため上端部固定用横梁２が手すりとしての役割を果たすことにより作業者４１の落下防止の役目を果たすことが可能となった。【００４０】  以上、実施の形態に基づいて、本発明に係る隣地空きなし高層建物用の上下移動式外足場について詳細に説明してきたが、本発明は、以上の実施の形態に限定されるものではなく、発明の趣旨を逸脱しない範囲において各種の改変をなしても、本発明の技術的範囲に属するのはもちろんである。
【図面の簡単な説明】
【００４１】
【図１】本発明の実施の形態に係る、上下移動式外足場を正面図と右側面図で示す。
【図２】同実施の形態に係る、上下移動式外足場を斜視図で示す。
【図３】同実施の形態に係る、図２で示した上下移動式外足場に足場シートを取り付けた状態を示す。
【図４】同実施の形態に係る、図３で示した上下移動式外足場の足場用踏板の上に作業者が乗った状態を示す。
【図５】同実施の形態に係る、上下移動式外足場を建物の床と梁に取り付けた状態を示す。
【図６】同実施の形態に係る、図１、２、３、４、５で示した第２の足場用踏板置き台付支柱を形成する薄鋼板を平板状に形取りした状態と、折曲形成して溶接により接合した状態を斜視図で示す。
【図７】同実施の形態に係る、図１、２、３、４、５で示した第１の足場用踏板置き台付支柱を形成する薄鋼板を平板状に形取りした状態と、折曲形成して溶接により接合した状態を斜視図で示す。
【図８】同実施の形態に係る、図１、２、３、４、５で示した下端部固定用横梁を形成する薄鋼板を平板状に形取りした状態と、折曲形成して溶接により接合した状態を斜視図で示す。
【図９】同実施の形態に係る、図１、２、３、４、５で示した第２のコンクリート床固定部材を形成する薄鋼板を平板状に形取りした状態と、折曲形成した状態を斜視図で示す。
【図１０】同実施の形態に係る、上下移動式外足場を分解した状態を斜視図で示す。
【図１１】同実施の形態に係る、図１０で示した上下移動式外足場を組み立てた状態を示す。
【図１２】同実施の形態に係る、図１、２、３、４で示した第２の斜め固定支柱８を形成する薄鋼板を平板状に形取りした状態と、折曲形成した状態を斜視図で示す。
【図１３】同実施の形態に係る、図１、２、３、４、５で示した第２の斜め固定支柱を、第２の足場用踏板置き台付支柱と足場用踏板に固定する前の状態を斜視図で示す。
【図１４】同実施の形態に係る、図１３で示した第２の斜め固定支柱を、第２の足場用踏板置き台付支柱と足場用踏板に固定した状態を示す。
【符号の説明】
【００４２】１                  上下移動式外足場
２                  上端部固定用横梁
３                  中間部固定用横梁
４                  第１の足場用踏板置き台付支柱
５                  第２の足場用踏板置き台付支柱
６                  足場用踏板
７                  第１の斜め固定支柱
８                  第２の斜め固定支柱
９                  下端部固定用横梁
１０                第２のコンクリート床固定部材
１１                ボルト
１２                ボルト
１３                ボルト
１４                ボルト
１５                ボルト
１６                打込アンカー
１７                ボルト
１８                ボルト
１９                ボルト
２０                ボルト
２１                ボルト
２２                ボルト
２３                ボルト
２４                ボルト
２５                ボルト
２６                打込アンカー
２７                ナット
２８                ナット
２９                ナット
３０                ナット
３１                ナット
３２                ナット
３３                第１のコンクリート床固定部材
３８                穴
３９                穴
４０                足場シート
４１                作業者
４２                床スラブ
４３                床スラブ
４４                柱
４５                梁
４６                梁
４７                柱
５５                足場支柱
５６                足場用踏板置き台
５７                足場用踏板置き台用脚部
５８                端部
５９                端部
６０                端部
６１                端部
６２                端部
６３                穴
６４                辺
６５                補強用折曲部
６６                折曲線
６７                折曲線
６８                フランジ
６９                穴
７０                端部
７１                端部
７２                端部
７３                端部
７４                端部
７５                フランジ
７６                折曲線
７７                折曲線
７８                ウェブ
７９                補強用折曲部
８０                辺
８１                Ａ辺
８２                Ｂ辺
８３                Ｃ辺
８４                Ｄ辺
８５                端部
８６                端部
８７                端部
８８                端部
８９                端部
９０                穴
９１                補強用折曲部
９２                折曲線
９３                辺
９４                フランジ
９５                折曲線
９６                穴
９７                端部
９８                端部
９９                端部
１００              端部
１０１              端部
１０２              穴
１０３              折曲線
１０４              フランジ
１０５              辺
１０６              ウェブ
１０７              折曲線
１０８              補強用折曲部
１２０              足場支柱
１２１              足場用踏板置き台
１２２              足場用踏板置き台用脚部
１２３              端部
１２４              端部
１２５              端部
１２６              端部
１２７              端部
１２８              穴
１２９              補強用折曲部
１３０              辺
１３１              折曲線
１３２              折曲線
１３３              フランジ
１３４              穴
１３５              端部
１３６              端部
１３７              端部
１３８              端部
１３９              端部
１４０              フランジ
１４１              折曲線
１４２              折曲線
１４３              ウェブ
１４４              辺
１４５              補強用折曲部
１４６              Ａ辺
１４７              Ｂ辺
１４８              Ｃ辺
１４９              Ｄ辺
１５０              端部
１５１              端部
１５２              端部
１５３              端部
１５４              端部
１５５              穴
１５６              補強用折曲部
１５７              折曲線
１５８              フランジ
１５９              折曲線
１６０              辺
１６１              穴
１６２              端部
１６３              端部
１６４              端部
１６５              端部
１６６              端部
１６７              穴
１６８              辺
１６９              折曲線
１７０              フランジ
１７１              ウェブ
１７２              折曲線
１７３              補強用折曲部
１８２              穴
１８３              穴
１８４              フランジ
１８５              ウェブ
１８６              穴
１８７              フランジ
１８８              穴
１８９              ナット
１９０              ウェブ
１９１              フランジ
１９２              穴
１９３              フランジ
１９４              穴
１９５              穴
１９６              フランジ
１９７              穴
１９８              ウェブ
１９９              フランジ
２００              穴
２０１              フランジ
２０２              穴
２０３              フランジ
２０４              穴
２０５              穴
２０６              左折曲部
２０７              穴
２０８              折曲部
２０９              折曲部
２１０              穴
２１１              ナット
２１２              ナット
２１３              ナット
２１４              ウェブ
２１５              右折曲部
２１６              ナット
２２１              穴
２２２              フランジ
２２３              ウェブ
２２４              フランジ
２２６              穴
２２８              穴
２２９              ナット
２５０              辺
２５１              右側上辺
２５２              突出右上辺
２５３              突出右袖辺
２５４              突出右下辺
２５５              突出右折曲線
２５６              辺
２５７              突出左下辺
２５８              突出左袖辺
２５９              突出左上辺
２６０              左側上辺
２６１              折曲線
２６２              突出左折曲線
２６３              辺
２６４              辺
２６５              欠込上辺
２６６              欠込右辺
２６７              折曲線
２６８              辺
２６９              辺
２７０              辺
２７１              折曲線
２７２              折曲線
２７３              折曲線
２７４              辺
２７５              辺
２７６              辺
２７７              辺
２７８              辺
２７９              辺
２８０              補強用折曲部
２８１              補強用折曲部
３００              辺
３０１              辺
３０２              補強用折曲部
３０３              折曲線
３０４              折曲線
３０５              辺
３０６              辺
３０７              辺
３０８              辺
３０９              辺
３１０              折曲線
３１１              折曲線
３１２              辺
３１３              補強用折曲部
３１４              辺
３１５              辺
３１６              辺
３１７              辺
【図１】
2019218830.tif 000003
【図２】
2019218830.tif 000004
【図３】
2019218830.tif 000005
【図４】
2019218830.tif 000006
【図５】
2019218830.tif 000007
【図６】
2019218830.tif 000008
【図７】
2019218830.tif 000009
【図８】
2019218830.tif 000010
【図９】
2019218830.tif 000011
【図１０】
2019218830.tif 000012
【図１１】
2019218830.tif 000013
【図１２】
2019218830.tif 000014
【図１３】
2019218830.tif 000015
【図１４】
2019218830.tif 000016